(57)【要約】【課題】多層光ディスクにおける各々の層間距離の違い、あるいはディスクの製造上の問題に起因する層間距離のばらつきに対して安定性を確保する。【解決手段】あらかじめ層間距離情報をコントロールトラックに記録しておく多層光ディスクであり、そのコントロールトラックからの層間距離情報を読み出して、所定の回路にその層間距離情報に適合する設定値を設定する構成とする。【選択図】図２
2009015878.tif 000002
【特許請求の範囲】
【請求項１】
固有情報をあらかじめ記録しておくためのコントロールトラック領域を有する多層光ディスクであって、前記コントロールトラックに記録されている前記多層光ディスクの固有情報には、前記多層光ディスクの層間距離情報が含まれることを特徴とする多層光ディスク。
【請求項２】
前記多層光ディスクの層間距離情報は、前記多層光ディスクの所定の領域に割当てられるＢＣＡ（Ｂｕｒｓｔ  Ｃｕｔｔｉｎｇ  Ａｒｅａ）領域にあらかじめ記録されていることを特徴とする多層光ディスク。
【請求項３】
前記層間距離情報は、所定の方法で測定される前記多層光ディスクの層間距離の測定値であり、前記多層光ディスクの層間距離の測定値が前記測定値の測定後に前記ＢＣＡに記録されることを特徴とする請求項２に記載の多層光ディスク。
【請求項４】
多層光ディスクを記録再生するための光ディスク装置であって、前記多層光ディスクのコントロールトラック領域より層間距離情報を再生処理するための再生処理手段を有し、前記再生処理手段の処理結果をして、前記光ディスク装置を構成する所定の回路もしくは装置の動作を決定せしめることを特徴とする光ディスク装置。
【請求項５】
多層光ディスクを記録再生するための光ディスク装置であって、前記多層光ディスクのＢＣＡ領域より層間距離情報を再生処理するための再生処理手段を有し、前記再生処理手段の処理結果をして、前記光ディスク装置を構成する所定の回路もしくは装置の動作を決定せしめることを特徴とする光ディスク装置。
【請求項６】
前記所定の回路はフォーカスジャンプパルス発生手段であって、前記層間距離情報をして、前記フォーカスジャンプパルス発生手段の出力状態を決定せしめることを特徴とする請求項４または５に記載の光ディスク装置。
【請求項７】
前記所定の装置は球面収差補正手段であって、前記層間距離情報をして、前記球面収差補正手段の動作点を決定せしめることを特徴とする請求項４または５に記載の光ディスク装置。
【発明の詳細な説明】
【技術分野】
【０００１】
本発明は、多層構造を有する光ディスク及び光ディスク装置に関するものであって、当該多層光ディスクの記録再生時における光ディスク装置の動作の安定化を目的とする。
【背景技術】
【０００２】
光ディスクの高密度化へのアプローチとして、記録再生面の多層化があげられるが、この多層化に関する技術の詳細については特許文献１に開示されており、具体的に商品化された多層光ディスクとしては２層構造ではあるが、ブルーレイディスク（以下ＢＤと記す）が知られている。
【特許文献１】特表平１０−５０５１８８号公報
【特許文献２】特開平１０−１４３８７２号公報
【発明の開示】
【発明が解決しようとする課題】
【０００３】
多層光ディスクの多層構造においては、三つの理由によりそれぞれの記録再生面間の層間距離に違いを持たせるような構成とする場合がある。その第一は、記録再生時において複数の記録再生面間にわたる反射光と透過光が、記録再生の対象とする記録再生面上で干渉するのを防ぐためであり、もう一つは光ディスクの複数の製造者毎に運用する製造工程の性能に起因した層間距離のばらつきが、一定の範囲内に収束しきれない場合、複数の製造者に対してそれぞれの層間距離の決定に任意性を許容せざるを得ず、さらに各々の層間距離の設計値そのものも製造者毎の固有の技術レベルに従属する側面が大きい場合があり、この場合も複数の製造者に対してそれぞれの層間距離の決定に際しての任意性を許容せざるを得ない。
【０００４】
従って、上述したような状況下では以下のような課題を生じせしめることとなる。
【０００５】
即ち、記録再生面を切換えるためには、信号の記録再生のための光ピックアップに装備された対物レンズの位置を当該記録再生面の焦点深度内までに強制的に移動させる層間フォーカスジャンプ手段を用いるが、上述したような状況下においてはこの層間フォーカスジャンプ動作時における前述した対物レンズの移動距離がそれぞれのジャンプ動作毎に異なり、しかもある記録再生面から他の記録再生面への移動（ジャンプ）直前では、その移動距離が不明であることを意味する。
【０００６】
従って、ある記録再生面から所望の記録再生面への対物レンズの移動は、２層構造の光ディスクにおける層間フォーカスジャンプ動作、即ち、第一の記録再生面から第二の記録再生面に至る移動に比べ、著しく困難なものとなると言わざるを得ない。
【０００７】
そこで特許文献２では、ある記録再生面から他の記録再生面への移動距離が不明であっても、層間距離検出手段を設け、前記層間距離検出手段の検出結果に基づいて層間フォーカスジャンプ動作を司るジャンプパルス発生手段の設定を制御することにより、層間フォーカスジャンプ動作を保証する方法が開示されている。
【０００８】
しかしながら、層間フォーカスジャンプ動作はフォーカスサーボに関連してなされるため、前述した層間距離検出手段の付加はフォーカスサーボの構成をより複雑化するものであり、層間距離検出手段を含んだフォーカスサーボシステムの妥当性の検証、評価にかかる時間の追加を要求し、総合的に明らかなコストの増大を招くものである。
【０００９】
また、多層光ディスクの任意の記録再生面の記録再生動作には当然のことながら球面収差の補正を考慮しなくてはならず、上述した状況下では所望の記録再生面に対する球面収差の補正手段の動作点の設定値が不明な状態であるといえる。
【００１０】
従って、動作点（電圧レベル）の設定によって、例えば液晶のような球面収差補正素子を駆動するような球面収差補正手段の場合には、その所望の動作点を別の手段を用いて求める必要があり、一般的にそのような動作点の検出手段の実現は、複数の層間距離の合計の距離に従属した大きな球面収差を取扱う必要があるため、その動作点の検出手段を含めた球面収差補正手段の妥当性の検証、評価にかかる時間の追加を要求し、総合的に明らかなコストの増大を招くものである。
【課題を解決するための手段】
【００１１】
前記従来の課題を解決するために、本発明の多層光ディスクはその多層光ディスクの設計値としての層間距離情報を前記多層光ディスクに割当てられているコントロールトラック領域にあらかじめ記録しておくということを特徴とする。
【００１２】
また本発明の多層光ディスクは前記多層光ディスクの層間距離情報が、前記多層光ディスクの所定の領域に割当てられるＢＣＡ（Ｂｕｒｓｔ  Ｃｕｔｔｉｎｇ  Ａｒｅａ）領域にあらかじめ記録しておくということを特徴とする。
【００１３】
また本発明の多層光ディスクは所定の方法で測定される前記多層光ディスクの層間距離の測定値を前記ＢＣＡ（Ｂｕｒｓｔ  Ｃｕｔｔｉｎｇ  Ａｒｅａ）領域にあらかじめ記録しておくということを特徴とする。
【００１４】
また本発明の光ディスク装置は前記コントロールトラック領域あるいはＢＣＡ領域を再生し、さらに所定の手続きに従って処理されることにより、前記多層光ディスクの層間距離情報が、前記光ディスク装置を構成する所定の回路、例えば層間フォーカスジャンプパルス発生手段の設定値として設定されることを特徴とする。
【００１５】
また本発明の光ディスク装置は前記コントロールトラック領域あるいはＢＣＡ領域を再生し、さらに所定の手続きに従って処理されることにより、前記多層光ディスクの層間距離情報が、前記光ディスク装置を構成する所定の装置、例えば球面収差補正手段の動作点の設定値として設定されることを特徴とする。
【発明の効果】
【００１６】
本発明の光ディスク及び光ディスク装置によれば、上記課題を解決するための手段の説明から明らかなように、当該多層光ディスクが有する層間情報が直接反映される形で、当該光ディスク装置を構成する所定の回路もしくは装置の設定値に採用されることになる。
【００１７】
従って、その所定の回路が層間フォーカスジャンプパルス発生手段であるとするならば、層間フォーカスジャンプ動作時における対物レンズの移動距離をあらかじめ知ることが可能となるということであり、フォーカスジャンプパルス発生手段に設定される設定値は所望の対物レンズの移動距離に適合した設定値とすることが可能となって、前述したような層間距離検出手段等の付加を必要とすることなく、任意の記録再生面間の層間フォーカスジャンプ動作を容易に実現することが可能となる。
【００１８】
また、その所定の装置が球面収差補正手段であるとするならば、所望の記録再生面と基準となる記録再生面との層間距離の合計、即ち、基準となる記録再生面に必要な球面収差補正量を基にした所望の記録再生面に必要な球面収差補正量を常に知ることが可能となるということであり、球面収差補正手段の動作点は、ただちに対象となる記録再生面に適合した設定値とすることが可能となって、当該光ディスク装置の球面収差補正動作を容易に、迅速に行うことができる。
【００１９】
さらに、各々の層間距離についてその規格値にかかる制限を大幅に緩和することが可能となる。即ち、例えば層間距離の上限値のみを決めておくことによって、相関距離の値の任意性を高範囲に確保することが可能となるということであり、製造者毎に与えられる層間距離の値の決定についての自由度が拡大することを意味し、製造工程に起因するばらつきの収束にかかる労力や、層間距離の設計値そのものを一定の範囲内に収束させるための労力を省略できる割合が大きくなるという効果が期待できるものである。
【発明を実施するための最良の形態】
【００２０】
以下本発明の実施の形態について、図面を参照しながら説明する。
【００２１】
（実施の形態１）
図１は、本発明の実施の形態１における多層光ディスクを示しており、図１において、５０は当該多層光ディスクを上部より見た図、５１は多層光ディスクの断面を示している。また、５２の太い実線の円で示した領域は多層光ディスクのコントロールトラック領域を示し、５３の太い破線の円で示した領域は多層光ディスクのＢＣＡ（Ｂｕｒｓｔ  Ｃｕｔｔｉｎｇ  Ａｒｅａ）領域を示している。
【００２２】
なお、コントロールトラック領域もＢＣＡ（Ｂｕｒｓｔ  Ｃｕｔｔｉｎｇ  Ａｒｅａ）領域も当該多層光ディスクの固有情報をあらかじめ記録しておくための領域であり、コントロールトラックは、一般的には光ディスクの製造工程であるマスタリング時に形成されるものであり、改変は不可能である。
【００２３】
しかし、当該多層光ディスクの記録再生可能な領域の一部をコトロールトラックとして新たに定義し直すことも可能である。
【００２４】
またＢＣＡ（Ｂｕｒｓｔ  Ｃｕｔｔｉｎｇ  Ａｒｅａ）はすでにＢＤ等で定義されているものであり、当該多層光ディスクの、一枚毎に異なる情報をあらかじめ記録しておくことが可能な領域である。
【００２５】
一方、断面５１の５４、５５、５６、・・・は当該多層光ディスクのそれぞれの記録再生面を示し、５７、５８、・・・は当該多層光ディスクのそれぞれの層間を表している。
【００２６】
従って、コントロールトラック５２、もしくはＢＣＡ（Ｂｕｒｓｔ  Ｃｕｔｔｉｎｇ  Ａｒｅａ）領域５３には当該多層光ディスクのそれぞれの層間５７、５８・・・の距離の情報が記録されていることになる。
【００２７】
さて、図２は本実施の形態における光ディスク装置の構成図であって、しかも１は本発明における多層光ディスクであって、先に図１の説明としてその内容を明らかにした。そして多層光ディスク１内に示す２は層間距離情報があらかじめ記録されているコントロールトラックを示している。
【００２８】
なお、コントロールトラック２は多層光ディスク１の任意の１つの記録再生面に記録されていてもよいし、複数の記録再生面に記録されていてもよい。
【００２９】
また３は光ビームであって、光ヘッド４により制御されている。図２が前述した多層光ディスク１のコントロールトラック２の再生時の状況を示しているとすれば、光ビーム３にはコントロールトラック２の情報が光学的に含まれている。
【００３０】
また５フォーカスサーボ回路であって、光ヘッド４からフォーカス誤差信号７の供給を受け、所定の処理を施されてフォーカスアクチュエータ駆動信号８として光ヘッド４内に装着されたフォーカスアクチュエータを駆動、制御することによりフォーカスサーボ完結することとなる。
【００３１】
なお、６はトラッキングサーボ回路であるが、本実施の形態はフォーカス制御のみに関連しているため、トラッキング制御に関する説明については省略する。
【００３２】
なお、図２において９は層間フォーカスジャンプパルス発生回路であって、一般に層間フォーカスジャンプ動作はフォーカスサーボと関連して実行されるため、図２に示すように層間フォーカスジャンプパルス発生回路９はフォーカスサーボ回路５に含まれるように図示している。
【００３３】
一方１０は光ヘッド４で生成された再生信号であって、再生処理回路１１に供給される。再生処理回路１１は再生信号１０から層間距離情報１２を抽出する機能を含む。
【００３４】
さらに再生処理回路１１によって抽出された層間距離情報１２は、層間移動距離算出手段１３に供給され、層間移動距離算出手段１３は層間フォーカスジャンプ時における所望の層間移動距離を算出し、層間移動距離情報１４としてフォーカスサーボ回路５内に設けられた層間フォーカスジャンプパルス発生回路９に供給、設定されることとなる。
【００３５】
なお、図２では再生処理回路１１と層間移動距離算出手段１３を別個の機能を有する構成要素として示したが、上記説明したように、本実施の形態では再生処理回路１１と層間移動距離算出手段１３の二つの要素が再生処理手段を構成するとみなすこともできる。
【００３６】
次に、層間移動距離算出手段１３について図３を用いて説明する。図３に示すように層間移動距離算出手段１３は主としてメモリ２０とＣＰＵ２３から構成されていて、メモリ２０のアドレス２１は本発明の多層光ディスク１の層間番号に相当し、メモリ２０のデータ部２２には本発明の多層光ディスク１のそれぞれの層間距離情報１２が層間距離データとして格納されるとすれば、アドレス２１のｎ−１、ｎ−２・・・は多層光ディスク１の層間番号を示し、データ２２のａ、ｂ、ｃ・・・はそれぞれの層間距離を表すことになる。
【００３７】
従って、図３に示すメモリ２０の状況は層間距離情報の抽出はすでに終了し、層間距離情報１２として層間移動距離算出手段１３への供給が終了しているものとみなすことができる。
【００３８】
またＣＰＵ２３はメモリ２０より必要な層間距離データを適宜読出し、必要な演算処理を実行し、層間移動距離情報１４として図２に示す層間フォーカスジャンプパルス発生回路９に供給、設定される。
【００３９】
次に、図２に示す層間フォーカスジャンプパルス発生回路９について図４を用いて説明する。
【００４０】
図４において、３２、３３はそれぞれ加速パルスレベル設定器、減速パルスレベル設定器であって、層間移動距離情報１４の有する値に応じてその出力レベルが変化するものであり、それぞれの出力レベルは加速パルス生成器３４、減速パルス生成器３５に入力されている。
【００４１】
加速パルス生成器３４、減速パルス生成器３５はジャンプ指令３１がアクティブとなった時、所定のパルス幅と、前述した加速パルス生成器３４、減速パルス生成器３５の出力レベルに応じた加速パルス３６、減速パルス３７をそれぞれ出力し、加算器３８により加算され、層間ジャンプパルス３９の生成が完成されることになり、層間ジャンプ時においては、図２に示すフォーカスサーボ回路内で生成されるフォーカス制御信号と加算され、フォーカスアクチュエータ駆動信号８としてフォーカスアクチュエータを駆動、制御することにより層間フォーカスジャンプが完結することになる。
【００４２】
また、生成された層間ジャンプパルス３９の波形は図５に示すごとくとなるが、加速パルス振幅４０及び減速パルス振幅４１は加速パルスレベル設定器３２、減速パルスレベル設定器３３の出力レベルに応じて変化することになり、それは層間移動距離情報１４の有する値に応じて変化することを意味する。
【００４３】
なお、加速パルスレベル設定器３２、減速パルスレベル設定器３３は、層間移動距離情報１４の有する値に応じてその出力レベルが変化するように構成する必要があるが、これはＤＡコンバータとオペアンプ等の組合せによって簡単に実現できるものである。
【００４４】
また、必要に応じ、一つの層間移動距離情報１４の有する値に対して、加速パルスレベル設定器３２と減速パルスレベル設定器３３が異なる出力レベルを得るように構成することも可能である。
【００４５】
また、図４に示した層間フォーカスジャンプパルス発生回路９の構成は、層間移動距離情報１４の有する値に応じてその出力レベルが変化する加速パルスレベル設定器３２、減速パルスレベル設定器３３が構成要素となっている以外は、一般的な光ディスク装置のトラッキング制御におけるトラックジャンプパルス生成回路と同様であり、その実現に特別な困難さを伴うものではない。
【００４６】
上述した本発明の光ディスク装置における実施の形態１における構成によれば、その動作（層間フォーカスジャンプ動作）は以下に記すようになる。
【００４７】
いま、当該光ディスク装置は任意の記録再生面を再生中であるとする。この時点では前述したように図３（図２に示す層間移動距離算出手段１３の詳細）に示すメモリ２０に、図２に示す本発明の多層光ディスク１の層間距離情報が、層間距離データ２２として記憶されていることになる。
【００４８】
そこで、当該光ディスク装置が層間フォーカスジャンプ動作を起こすとき、図３に示すＣＰＵ２３はメモリ２０より、現在再生中の記録再生面からジャンプ先としての所望の記録再生面間の層間移動距離を算出するために、必要な層間距離データ２２を読出し、層間移動距離の算出のための演算を実行する。
【００４９】
例えば、現在の記録再生面からジャンプ先としての所望の記録再生面間に、図３に示すメモリ２０のアドレス２１に対応づけられた、ｎ、ｎ＋１、ｎ＋２の層間があるとする。従ってＣＰＵ２３は層間距離データ２２からそれらの層間距離ａ、ｂ、ｃを読出し、加算演算を実行してａ＋ｂ＋ｃを算出し、このａ＋ｂ＋ｃの値が層間移動距離情報１４となって、図４（図２に示す層間フォーカスジャンプパルス発生回路９の詳細）に示す加速パルスレベル設定器３２及び減速パルスレベル設定器３３に設定されることとなる。その後ジャンプ指令３１がアクティブになれば、前述したように図５に示すような層間フォーカスジャンプパルス３９が得られるが、加速パルス振幅４０及び減速パルス振幅４１のレベルは、前述した層間移動距離情報１４の値ａ＋ｂ＋ｃに対応したものとなり、この層間ジャンプパルス３９が図２に示すフォーカスアクチュエータ駆動信号１として光ヘッド４内に装備されたフォーカスアクチュエータに供給されれば、所望の層間フォーカスジャンプ動作が完成することとなる。
【００５０】
なお、必要に応じ適宜ＣＰＵ２３の動作を修正し、層間移動距離情報１４を基準の記録再生面からの絶対距離で算出することも可能である。
【００５１】
この修正は後述する層間移動距離情報１４をもとにした球面収差補正装置を構成するときに有効となる。
【００５２】
なお、ここでは層間フォーカスジャンプにかかる層間の数が３つの場合についてその動作を説明したが、本発明はその層間の数を限定しないことはあきらかである。
【００５３】
また隣接の記録再生面毎にジャンプを繰り返しながらの層間フォーカスジャンプではなく、一回の層間フォーカスジャンプ動作で複数の記録再生面にわたるジャンプ動作の実現に有効であり、層間フォーカスジャンプ動作にかかる所要時間の短縮が期待できる。
【００５４】
以上、本実施の形態における光ディスク装置を構成する層間フォーカスジャンプについて説明したが、層間距離をあらかじめ知ることが可能であるという事実は球面収差補正装置（当該光ディスク装置に球面収差補正装置が含まれていると仮定した時）を以下に示すように構成することができる。
【００５５】
図６は本実施の形態における光ディスク装置を構成する球面収差補正装置を示している。
【００５６】
図６において、１４は層間移動距離情報であり、先に説明したように基準となる記録再生面と所望の記録再生面との絶対的な層間距離を表すものであり、５０は層間移動距離情報１４に対応した電圧を発生させる層間移動距離対電圧変換器である。
【００５７】
一方、層間移動距離対電圧変換器５０の出力電圧レベルは基準電圧５１と加算（加算器５２による）されて、球面収差補正素子（例えば液晶）５４に動作電圧５３として設定される。従って、層間移動距離対電圧変換器５０とその出力電圧レベルを適切に関係づけておけば、球面収差補正素子５４の入力光５５に対し、出力光５６は前述した所望の記録再生面に適合するように球面収差が補正された光ビームとなって、所望の記録再生面に対する球面収差補正動作がただちに完成することになり、出力光５６は所望の記録再生面に照射され、記録再生動作が行われることとなる。
【００５８】
なお、基準電圧５１は基準の記録再生面に適合するように球面収差が補正されるための球面収差補正素子５４の動作電圧に相当するものであり、層間移動距離情報１４は先に説明したように基準の記録再生面からの絶対距離で算出されたものである。
【００５９】
なお、図６に示した球面収差補正素子５４は、一般的には図２に示した光ヘッド４の内部に装着されるものであり、実際にはその周辺に所定の光学素子の具備を必要とするが、図６ではその記載と説明を省略した。
【００６０】
以上説明したように、本実施の形態によると、多層光ディスクはその層間距離情報がコントロールトラック内にあらかじめ記録された多層光ディスクであり、層間フォーカスジャンプ動作を支配する層間ジャンプパルスの加速、減速パルスの振幅の決定はその層間距離情報をもとになされるため、その加速、減速パルスの振幅は層間移動距離に適合したレベルとなって、任意の記録再生面間の層間フォーカスジャンプ動作を容易に実現することが可能となる。
【００６１】
また、球面収差補正手段装置においては所望の記録再生面に適合する球面収差の補正量が当該光ディスクの層間距離情報をもとになされるため、球面収差検出手段を必要とすることなく、球面収差補正動作を容易に、迅速に実現することが可能となる。
【００６２】
なお、上記したコントロールトラックは、図１の本発明の実施の形態１における多層光ディスクの説明時で述べたように、一般的には光ディスクの製造工程であるマスタリング時に形成されるものであり改変は不可能である。従ってこのようなコントロールトラックに層間距離情報をあらかじめ記録しておく場合は、それらの層間距離情報は当該多層光ディスクの設計値ということができる。
【００６３】
しかし、当該多層光ディスクの記録再生可能な領域の一部をコントロールトラックとして新たに定義し直すならば、完成後の多層光ディスクの層間距離を測定し、そのデータを層間距離情報として、当該多層光ディスクの前記新たなコントロールトラックに追記するか、あるいはＢＣＡ（Ｂｕｒｓｔ  Ｃｕｔｔｉｎｇ  Ａｒｅａ）に記録しておくことにより、当該多層光ディスク一枚毎に異なる層間距離情報をあらかじめ記録しておくことが可能となって、もし、完成後の多層光ディスクの層間距離がばらつきを持っている場合であっても、本発明の効果を失うことはない。
【００６４】
また、ＢＣＡより層間距離情報を読み出す場合は、図２に示す再生信号１１はＢＣＡからの再生信号とはその形式において一般的に異なるものである。従って、この場合の再生処理回路１１はＢＣＡからの再生信号に適合したものとなる。
【産業上の利用可能性】
【００６５】
本発明にかかる多層光ディスク及び光ディスク装置は、当該多層光ディスクの各々の層間距離の違い、あるいはディスクの製造上の問題に起因する層間距離のばらつきに対して、その光ディスク装置の安定性に保証を与えるものであって、多層光ディスクを記録再生の対象とした大容量光ディスクドライブ、光ディスクレコーダ等、あるいはそれらの情報記録媒体として有用である。
【図面の簡単な説明】
【００６６】
【図１】本発明の実施の形態１の多層光ディスクの図
【図２】本発明の実施の形態１の光ディスク装置のブロック図
【図３】本発明の実施の形態１の光ディスク装置に含まれる層間移動距離算出手段のブロック図
【図４】本発明の実施の形態１の光ディスク装置に含まれる層間フォーカスジャンプパルス発生回路のブロック図
【図５】層間フォーカスジャンプパルス波形図
【図６】本発明の実施の形態１の光ディスク装置に含まれる球面収差補正装置のブロック図
【符号の説明】
【００６７】
１    光ディスク
２    コントロールトラック
３    光ビーム
４    光ヘッド
５    フォーカスサーボ回路
６    トラッキングサーボ回路
７    フォーカス誤差信号
８    フォーカスアクチュエータ駆動信号
９    層間フォーカスジャンプパルス発生回路
１０    再生信号
１１    再生処理回路
１２    層間距離情報
１３    層間移動距離算出手段
１４    層間移動距離情報
５４    球面収差補正素子
【図１】
2009015878.tif 000003
【図２】
2009015878.tif 000004
【図３】
2009015878.tif 000005
【図４】
2009015878.tif 000006
【図５】
2009015878.tif 000007
【図６】
2009015878.tif 000008